(57)【要約】【課題】  いろいろな種類の特殊原稿及び通常原稿の画像処理に容易に対応して画像処理する。【解決手段】  スキャナ１０で読取られた原稿の画像データ信号は、画像処理部２０で画像処理され、画像蓄積部４０とのやり取りで最終的にはページ単位の印刷データを作成し、プリンタ５０に入力され印刷出力される。特殊原稿の画像データを変更するなどして特殊画像の画像形成を防止するパターンマッチングデバイス２３は、特殊原稿の種類毎に単体で着脱自在に構成し、読取側画像処理部の任意の回路間（Ａ）、及び／又はスキャナの後で読取側画像処理部の前（Ｂ）、及び／又は読取側画像処理部の後で画像蓄積部の前に配置する。制御部３０は、特殊原稿の種類に応じていずれかのパターンマッチングデバイス２３を動作設定して使用する。【選択図】      図１２
2005223642.tif 000002
【特許請求の範囲】
【請求項１】
原稿の画像データを処理する回路に特殊原稿の画像形成を防止する信号発生回路を着脱可能に備えたことを特徴とする画像処理装置。
【請求項２】
請求項1記載の画像処理装置において、
特殊原稿にそれぞれ対応する複数の前記信号発生回路と、
特殊原稿に対応する前記信号発生回路を選択可能にする手段と、
を備えたことを特徴とする画像処理装置。
【請求項３】
請求項1記載の画像処理装置において、
前記信号発生回路は、少なくともプロセッサとメモリからなる信号発生回路であって、前記メモリに記憶された特殊原稿に対応する処理プログラムにより動作することを特徴とする画像処理装置。
【請求項４】
請求項1又は２記載の画像処理装置において、
前記信号発生回路の動作を検知する手段と、
検知結果に基いて、動作状態情報を記憶する手段、及び／又は動作状態を通報する手段、
及び／又は画像処理動作を停止する手段と、
を備えたことを特徴とする画像処理装置。
【請求項５】
請求項４記載の画像処理装置において、
前記信号発生回路の動作を検知する手段は、前記信号発生回路の特定情報の授受機能を検知する手段であることを特徴とする画像処理装置。
【請求項６】
前記請求項1乃至５のいずれかに記載の画像処理装置を備えた画像形成装置。
【発明の詳細な説明】
【技術分野】
【０００１】
本発明は、紙幣、有価証券等の特殊原稿の画像形成を防止する手段を有する画像処理装置及びこの画像処理装置を有する画像形成装置に関する。
【背景技術】
【０００２】
画像処理技術、画像形成技術の高度の発展により、カラー複写機で複写したコピー紙幣と実際の紙幣、コピー有価証券と実際の有価証券など容易に真偽の見極めがつかないほど精巧に画像形成が行えるようになっている。このため、紙幣等の特殊原稿を判別し、特殊原稿の場合に複写を防止するようにした技術が開発されており、複写機に特殊原稿を判別する機能を搭載した特殊原稿判別機能付き複写機も提供されている。
【０００３】
このような複写機として、特殊原稿である紙幣がスキャナで読取られたとき、紙幣認識制御回路が、読取られた画像の画像データが紙幣の画像のものであることを認識し、特殊原稿の複写が行われようとしていることを第３者に通知する。この通知とともに、電源再投入後から起動処理開始までの時間を設定するカウンタ値を増加させ、エラーメッセージをLCD表示部に表示し、全処理を停止する複写機が公知である（特許文献１参照）。
【特許文献１】特開2001-292315号公報
【０００４】
また、特殊原稿判別機能付き複写機として、スキャナドライバの偽造判定処理モジュールが、スキャナで読取られた原稿の画像データと特定画像の画像データを比較し一致度を判定する。この判定結果に基いて偽造防止制御モジュールがスキャナで読取られた画像データを加工処理する複写機が公知である（特許文献２参照）。
【特許文献２】特開2001-144940号公報
【０００５】
更に同種の複写機として、複写が禁止されている特殊原稿の画像の種類に応じて特徴データを記憶し、入力した画像データから特徴画像部分を抽出し、記憶している特徴データと抽出した特徴画像部分の画像データを比較する。この比較により類似度が予め定めた第１の類似度に相当するときは複写動作を禁止し、第２の類似度に相当するときは記録紙にマーキングをする複写機が公知である（特許文献３参照）。
【特許文献３】特開平6-125459号公報
【０００６】
前記特許文献１の発明は、原稿が特殊原稿であると判別された場合に、コピーを禁止し、特許文献２の発明は、原稿が特殊原稿であると判別された場合に、コピー画像を加工し、特許文献３の発明は、原稿が特殊原稿であると判別される度合いに応じてコピーを禁止又は印刷用紙にマーキングを行っている。
【発明の開示】
【発明が解決しようとする課題】
【０００７】
上述のように前記各特許文献に開示された発明は、いずれも特殊原稿の判定を行い、その後に判定結果に基いてコピーを禁止したりコピー画像を加工するなどの特殊原稿対策を講じている。つまり、各発明の複写機とも特殊原稿の判別精度に差はあっても、特殊原稿の判別機能は正常に機能していることを前提とした上で特殊原稿対策を講じるものになっている。
【０００８】
しかしながら、特殊原稿判別機能付き複写機は、通常の原稿に対しては何らの制限を課すことなく普通にコピーができるようになっているので、万一何等かの手法により特殊原稿判別機能が不動作状態にされると、特殊原稿が通常の原稿と同じようにコピー可能になってしまうことが懸念される。
【０００９】
また近年、特殊原稿は従来の紙幣や有価証券の枠に留まらず、商品券や道路通行券など多種類に及ぶようになっている。
【００１０】
しかしながら、前記各特許文献記載の特殊原稿判別機能付き複写機は、特定の特殊原稿のコピー対策を念頭においたものになっており、いろいろな種類の特殊原稿に臨機応変に対応できる特殊原稿判別機能付き複写機を指向するものになっていない。
【００１１】
更に近年、複写機ユーザーは、自分の複写機使用の環境に応じて自分が使用する機能のみが備えられ、むしろ価格面で有利な複写機を求める傾向が強い。
【００１２】
しかしながら、前記各特許文献記載の特殊原稿判別機能付き複写機は、特殊原稿判別機能を固定的に設備しているので、ユーザーのニーズに応えて機能変更できなかった。
【００１３】
そこで本発明は、上述の状況に鑑みてなされたものであり、その第１の目的は、いろいろな種類の特殊原稿及び通常原稿の画像処理に容易に対応できるようにすることである。第２の目的は、特殊原稿の判別機能の状態が分かるようにすることであり、また第３の目的は、特殊原稿判別機能の不動作状態の発生を防止するようにすることである。
【課題を解決するための手段】
【００１４】
請求項１の発明は、原稿の画像データを処理する回路に特殊原稿の画像形成を防止する信号発生回路を着脱可能に備えたことを特徴とする画像処理装置である。
請求項２の発明は、請求項1記載の画像処理装置において、特殊原稿にそれぞれ対応する複数の前記信号発生回路と、特殊原稿に対応する前記信号発生回路を選択可能にする手段と、を備えたことを特徴とする画像処理装置である。
請求項３の発明は、請求項1記載の画像処理装置において、前記信号発生回路は、少なくともプロセッサとメモリからなる信号発生回路であって、前記メモリに記憶された特殊原稿に対応する処理プログラムにより動作することを特徴とする画像処理装置である。
請求項４の発明は、請求項1又は２記載の画像処理装置において、前記信号発生回路の動作を検知する手段と、検知結果に基いて、動作状態情報を記憶する手段、及び／又は動作状態を通報する手段、及び／又は画像処理動作を停止する手段と、を備えたことを特徴とする画像処理装置である。
請求項５の発明は、請求項４記載の画像処理装置において、前記信号発生回路の動作を検知する手段は、前記信号発生回路の特定情報の授受機能を検知する手段であることを特徴とする画像処理装置である。
請求項６の発明は、前記請求項1乃至５のいずれかに記載の画像処理装置を備えた画像形成装置である。
【発明の効果】
【００１５】
本発明によれば、特殊原稿及び通常原稿を含めいろいろな種類の原稿の画像処理に容易に対応できる。また、特殊原稿の判別機能が無効か有効かが分かる。更に、特殊原稿判別機能が無効となる不動作状態の発生を防止することができる。
【発明を実施するための最良の形態】
【００１６】
はじめに本発明が実施されるデジタル複写機に代表される画像形成装置について図面を参照して説明する。
図１はデジタル複写機の外観斜視図であり、図中、デジタル複写機は原稿台１、原稿押え２、操作表示部３、及び用紙カセット４を備える。図１には示されていないが原稿台１の下部には光学読取りユニット（スキャナ）が設置されている。なお、原稿台１上には原稿５が載置される。
【００１７】
図２はデジタル複写機の正面側からみたスキャナの側面模式図であり、図中、スキャナ６は、光源７、走査ミラー８、レンズと反射ミラー群を有する光学ユニット９、光電変換素子（CCD）１０からなる。スキャナ６は、不図示の制御モータの制御によって光源７の光ビームで原稿５を主走査方向（紙面手前から奥方向）にスキャニングしながら副走査方向（紙面左から右方向）に移動して原稿を読取る。
【００１８】
図３は原稿と制御信号の関係を示す図である。図３において、FGATEは光源７及び走査ミラー８の副走査方向の画像範囲を示す副走査範囲信号である。またLSYNCは光電変換素子CCD１０の読取り方向、つまり主走査方向のラインの開始点の合図となる主走査同期信号であり、更にLGATEは主走査方向の原稿読取り面の画像範囲を示す主走査範囲信号である。
【００１９】
図４は原稿の走査方向を示す図であり、図中、画像走査はLSYNCの開始点を基準に図中に示す主走査方向にライン１の走査が行われ、そして副走査方向に光源７及び走査ミラー８が移動することにより主走査方向にライン２の走査が行われる。以下、同様にライン３、ライン４のように順次走査が行われる。
【００２０】
図５は、主走査及び副走査方向画像範囲信号と画像データ信号の時間関係を示す図である。前記LSYNCを合図に、FGATE、LGATEにより２次元の原稿画像を時間による画像データ信号に置換える。この画像データ信号は後述するデジタル複写機の画像処理部で処理される。
【００２１】
図６は、図１のデジタル複写機の内部主要部ブロック構成図である。図６において、デジタル複写機は、スキャナ１０、画像処理部２０、主制御部（Host-CPU）３０、画像蓄積部４０、プリンタ５０から構成される。スキャナ１０で読取られ、前記光電変換素子CCD１０で光電変換された画像データ信号は、画像処理部２０に入力され画像処理される。画像蓄積部４０は半導体メモリ及び磁気ディスク型のメモリを有し、半導体メモリに印刷用紙１枚分の画像編集用のメモリ領域を一時的に確保し、画像処理部２０から画像データを受取る。画像制御部２０の圧縮、伸長機能により画像情報の蓄積量を更に増やしている。最終的にはページ単位の印刷データが作成され、プリンタ５０に入力される。プリンタ５０は電子写真方式の画像形成手段を備えており、ページ単位の画像データ信号を顕像化し印刷用紙に転写して出力する。主制御部３０は所定のプログラムにしたがってこの間の各構成部の動作を制御する。
【００２２】
次に、画像処理部における画像データ信号の処理と特殊原稿の画像形成防止について説明する。
図７は、図６で示した画像処理部における画像処理形態の説明図である。図７において、画像処理部２０は、読取側画像処理部２１と書込側画像処理部２２で画像処理を分担する形態をとっており、スキャナ１０から受取った画像データ信号は主にスキャナ特性の影響を補正する読取側画像処理部２１で画像処理された後一旦画像蓄積部４０に蓄積され、そこから書込側画像処理部２２に読み出され、出力データ形式に合せて階調（画質）処理、フィルタ処理、ガンマカーブによる階調変換等の書込側画像処理が行われる。
【００２３】
図８は、読取側画像処理部の画像処理形態を示す図である。図８を参照してこの処理形態を説明すると、スキャナ１０から入力された画像データ信号は、まず黒補正回路21aでＣＣＤ１０の黒レベル補正を行い、シェーディング補正回路21bで光源７の光分布や白読取りレベルの補正を行う。更に地肌除去処理回路21cで読取り画像データの地肌レベルに追従して低レベルの地肌を消去し、輝度濃度変換回路21dでそれまで輝度レベルで処理していた画像データ信号を濃度レベルに変換する。その後、スキャナガンマ変換回路21eでスキャナ６の読取り輝度特性を補正し、裏移り除去回路21fで淡い原稿の裏面画像を読取るのを防ぐための低レベル画像を除去し、スキャナフィルタ回路21gでスキャナで低下した解像度を補正する。更にその後、ミラーリング回路21hで読取り機構にシートスルー送り装置を用いた時など画像の主走査方向を一致させるためのミラーリングを行い、レジスト調整回路21iで原稿台やシートスルー送り装置などによる原稿の先端とCCD１０で読取った画像データの有効画像データの先端位置を合せ、最後に出力選択回路21jで出力先のデータフォーマットに対応する出力選択を行う。
【００２４】
引続いて特殊原稿の画像形成防止について述べる。
図９は、特殊原稿の画像形成防止回路を有する読取側画像処理部の構成図である。図９において、黒補正回路21a乃至出力選択回路21jの構成は図8と同じであり、特殊原稿の画像形成を防止するために、スキャナガンマ変換回路21eの後にパターンマッチング回路23aを設け、また出力選択回路21jの後に画像変換回路23bを設ける。即ち、パターンマッチング回路23aと画像変換回路23bは、読取側画像処理部２１の他の回路と共に読取側画像処理部２１に組込んで構成する。
【００２５】
パターンマッチング回路23aは、特殊原稿の画像形成を防止するために一般に用いられているパターンマッチング回路でよく、デジタル処理された画像データを入力し、特徴画像部分（比較対象部分）を抽出する画像検出回路と、予め特殊原稿の画像の種類に応じて特徴データを記憶するROM等のメモリと、画像検出回路で抽出した比較対象部分とメモリの特徴データを比較して類似度を求める比較回路で構成する。この構成により、デジタル処理された画像データが画像検出回路に入力されると、該回路は比較対象部分を抽出する。即ち、コピー原稿の画像データから紙幣や有価証券等の特殊原稿の特徴データ（例えば印鑑部分）を探して抽出する。特徴データが抽出されると、予めメモリに記憶している特徴データを読み出し、比較回路で、抽出された特徴データと読み出された特徴データとの比較を行い、類似度が判定される。一方、画像変換回路23bも一般に用いられている画像変換回路でよく、例えばそれまでデジタル処理してきた画像データを他の画像データに置換えたり、白地部分或いは黒地部分を他の色地に変換する回路でよい。
【００２６】
図９の構成では、スキャナガンマ変換回路21eの出力を分岐して画像データ信号の一部をパターンマッチング回路23aに入力して特殊原稿の検出を行い、その結果を画像変換回路23bに入力することにより、出力変換回路21jの出力画像データ信号を変換している。
【００２７】
（実施形態１）本実施形態では、パターンマッチング回路部を単体のデバイスとして読取側画像処理部と別体で構成し、読取側画像処理部に取付け取外し自在に構成する。このときパターンマッチングデバイスは、パターンマッチング回路と出力変換回路とを有する場合と、パターンマッチング回路のみ有し、出力変換回路の機能は既存の他の回路に委ねる場合がある。
【００２８】
図１０は、パターンマッチング回路と出力変換回路とを有するパターンマッチングデバイスを、読取側画像処理部と別体に構成する例を示す図である。図１０において、パターンマッチングデバイス２３は、パターンマッチング回路23a、出力変換回路23b及び図１０には図示を省略しているが特徴パターンを記憶するROMを有する。そしてこのパターンマッチングデバイス２３は、読取側画像処理部２１に取付け取外し自在に構成する。
【００２９】
図１１は、パターンマッチング回路のみを有するパターンマッチングデバイスを読取側画像処理部と別体に構成する例を示す図である。図１１において、パターンマッチングデバイス２３は、パターンマッチング回路23aのみを有し、読取側画像処理部２１に取付け取外し自在に構成する。本例の場合、出力変換回路の機能は、出力選択回路21jに持たせる。
【００３０】
上述の図１０、図１１のパターンマッチングデバイスの回路的配置位置は、読取側画像処理部２０と画像蓄積部４０との間に配置するように述べているが、この配置可能な回路上の位置について整理すると次ぎのようになる。
（１）読取側画像処理部の任意の回路間に配置する。
（２）スキャナの後で読取側画像処理部の前に配置する。
（３）読取側画像処理部の後で画像蓄積部の前に配置する。
【００３１】
図１２は、パターンマッチングデバイスの回路上の配置位置を示す図であり、図中、図１２（Ａ）は、読取側画像処理部の任意の回路間に配置する例を示し、図１２（Ｂ）は、スキャナの後で読取側画像処理部の前に配置する例を示す。図１２（Ｃ）は、読取側画像処理部の後で画像蓄積部の前に配置する例を示す。これらの配置のバリエーションによりパターン検知の自由度が増すことになる。
【００３２】
続いてパターンマッチングデバイスの動作設定の制御手順について説明する。パターンマッチングデバイス２３が上述のような回路位置に配置取付けられたとき、主制御部３０は、パターンマッチングデバイス２３の存在を、イ）パターンマッチングデバイス２３自身のポートの内容、又はロ）パターンマッチングデバイス２３が接続される読取側画像処理部２１を含む画像処理部２０のポートの内容、又はハ）パターンマッチングデバイス２３が搭載されるボードの識別（ＩＤ）情報を検出し、パターンマッチングデバイス２３の取付けを判断する。この判断に基いてパターンマッチングデバイス２３の動作設定を行う。
【００３３】
図１３は、パターンマッチングデバイスの動作設定の手順を示す図である。図１３において、パターンマッチングデバイス２３の動作設定がスタートすると、主制御部３０は、パターンマッチングデバイス２３が配置されているか、つまり特殊原稿処理機構が取付けられているか否かを判断し（S1）、取付けられているときは、パターンマッチングデバイス２３を動作設定し（S2）、続いて読取側画像処理部２１を動作設定する（S3）。パターンマッチングデバイス２３が取付けられていない場合においては、そのまま読取側画像処理部２１の動作設定をする（S3）。
なお、本手順は、パターンマッチングデバイス２３が取付けられているとき、先にパターンマッチングデバイス２３の動作設定を行い、その後で読取側画像処理部２１の動作設定を行っているが、この逆の順序で行っても構わない。
【００３４】
（実施形態２）本実施形態では、異なる特殊原稿の画像形成防止に対応できるように複数のパターンマッチングデバイスから任意のパターンマッチングデバイスを選択可能にする。異なる特殊原稿の例として、日本紙幣の１千円札、５千円札、１万円札等がある。
【００３５】
図１４は、異なる特徴パターンを有するパターンマッチングデバイスを主制御部が選択する概念を示す図である。図１４において、パターンマッチングデバイス２３はそれぞれ異なる特殊原稿に対応する特徴パターンＡ，Ｂ，Ｃを備えており、これらのパターンマッチングデバイス２３は、それぞれ、前述した（１）読取側画像処理部の任意の回路間、又は（２）スキャナの後で読取側画像処理部の前、又は（３）読取側画像処理部の後で画像蓄積部の前のいずれかに配置される。
【００３６】
そして主制御部は、これらパターンマッチングデバイス２３の配置位置を、パターンマッチングデバイス２３自身のポートの内容、パターンマッチングデバイス２３が接続される読取側画像処理部２１を含む画像処理部２０のポートの内容、パターンマッチングデバイス２３が搭載されるボードの識別（ＩＤ）情報を検出して確認する。そして確認したパターンマッチングデバイス２３にそれぞれ適した動作設定を行う。
【００３７】
図１５は、異なる特徴パターンを有するパターンマッチングデバイス毎に動作設定を行う手順を示す図である。図１５において、パターンマッチングデバイス２３の動作設定がスタートすると、主制御部３０は、パターンマッチングデバイス２３自身のポートの内容、パターンマッチングデバイス２３が接続される読取側画像処理部２１を含む画像処理部２０のポートの内容、パターンマッチングデバイス２３が搭載されるボードの識別（ＩＤ）情報を検出してパターンマッチングデバイス２３が配置されているか、つまり特殊原稿処理機構が取付けられているか否かを判断し（S11）、取付けられているときは、どのパターンマッチングデバイス２３が選択されているかを判断し（S12）、選択されていると判断したパターンマッチングデバイス２３の動作設定を行う（S13、又はS14、又はS15）。続いて読取側画像処理部２１を動作設定する（S16）。パターンマッチングデバイス２３が取付けられていない場合においては、そのまま読取側画像処理部２１の動作設定をする（S16）。
【００３８】
（実施形態３）本実施形態では、パターンマッチングデバイスをDSP（Digital Signal Processor）で構成する。
図１６は、DSPで構成したパターンマッチングデバイスの回路上の配置図であり、図中、DSP２６は、読取側画像処理部２１の後で画像蓄積部４０の前に配置される。
図１７は、DSPによるパターンマッチングデバイスの構成説明図である。図１７（Ａ）において、２６はDSPであり、該DSP２６は実際のデジタル画像データ信号入力、画像データ信号処理、画像データ信号出力を行うプロセッサ部26aとプロセッサ26aの動作を制御するプログラム及び特殊パターンを記憶するためのメモリ（RAM）26bを有する。一方、デジタル複写機の主制御部３０は、内部にDSP制御用のプログラムを記憶したメモリ（ROM）30aを有する。そしてこのメモリ30aは、そのDSPプログラム格納エリアにDSP制御用プログラム及び各種特徴パターン、並びにダウンロード制御プログラムを記憶している（図１７（Ｂ））。
【００３９】
主制御部３０は、特殊原稿の種類に対応してROM30aからDSP制御プログラム並びに特徴パターンを選択してDSP２６にダウンロードすることによりDSP２６の動作を変更する。
【００４０】
本実施形態によれば、DSP２６のハードウエア構成を固定することができ、その固定されたハードウエア構成においてプログラムの変更だけで複数の特殊原稿に対応した画像形成防止を行うことができる。
【００４１】
（実施形態４）本実施形態では、パターンマッチングデバイスが何らかの手法、例えば物理的破壊、機能的破壊により無効にされたとき、その動作履歴を保存したり、警告を通知する。以下、これらの動作を説明する。
【００４２】
まず、パターンマッチングデバイスの動作履歴の保存について説明する。
図１８は、パターンマッチングデバイスの動作履歴を保存する動作の手順を示す図である。図１８において、パターンマッチングデバイス２３（２６）の動作履歴保存動作がスタートすると、主制御部３０は、パターンマッチングデバイス２３（２６）が配置されているか、つまり特殊原稿処理機構が破壊されることなく有効か否かを判断し（S21）、有効でないときは、パターンマッチングデバイス２３（２６）が有効でない状態の情報をメモリに記憶し（S22）、読取側画像処理部２１を動作設定する（S23）。パターンマッチングデバイス２３（２６）が有効な場合においては、そのまま読取側画像処理部２１の動作設定をする（S23）。
【００４３】
なお、パターンマッチングデバイスの有効か無効かの判断は、主制御部３０が、パターンマッチングデバイス２３自身のポートの内容、パターンマッチングデバイス２３が接続される読取側画像処理部２１を含む画像処理部２０のポートの内容、パターンマッチングデバイス２３が搭載されるボードの識別（ＩＤ）情報を検出できるか否かにより判断することができる。
【００４４】
次に、パターンマッチングデバイスの無効の警告について説明する。
図１９は、パターンマッチングデバイスの無効を警告する動作の手順を示す図であり、図１９において、パターンマッチングデバイス２３（２６）の動作設定がスタートすると、主制御部３０は、パターンマッチングデバイス２３（２６）が破壊されることなく有効か否かを判断し（S31）、有効でないときは、パターンマッチングデバイス２３（２６）が有効でないことを外部に通知し（S32）、読取側画像処理部２１を動作設定する（S33）。パターンマッチングデバイス２３（２６）が有効な場合においては、そのまま読取側画像処理部２１の動作設定をする（S33）。
【００４５】
図２０は、パターンマッチングデバイスの無効を警告し、読取側画像処理を使用不可能にする動作の手順を示す図であり、図２０において、この動作がスタートすると、主制御部３０は、パターンマッチングデバイス２３（２６）が破壊されることなく有効か否かを判断し（S41）、有効でないときは、パターンマッチングデバイス２３（２６）が有効でないことを操作部３の画面に警告表示し（S42）、読取側画像処理部２１を使用不可能にする（S43）。パターンマッチングデバイス２３（２６）が有効な場合においては、そのまま読取側画像処理部２１の動作設定をする（S44）。
【００４６】
更にパターンマッチングデバイスの有効か無効かの判断について説明する。
（実施形態５）本実施形態では、特殊パターン確認部が特殊原稿の特徴パターンの授受を行い、制御部がパターンマッチングデバイスの有効性の判断を行う。このためにデジタル複写機は、特殊パターン確認部を備える。
図２１は、特殊パターン確認回路を備える読取側画像処理部の構成を示す図である。図２１において、特殊パターン確認回路２７は、付属するメモリに有効性確認用の特殊パターンを備え、この特殊パターンをパターンマッチングデバイス２３のパターンマッチング回路23aとの間でやり取りする。主制御部３０は、このやり取りが正常に行われるか否かを判断してパターンマッチングデバイスの有効性を確認する。
【００４７】
図２２は、パターンマッチングデバイスの有効性を確認する動作の手順を示す図である。図２２により動作手順を説明する。この動作がスタートすると、主制御部３０は、まず読取側画像処理部２０を初期化する（S51）。続いて、特殊パターン確認回路２７の付属メモリから有効性確認用の特殊パターンを読み出し、パターンマッチング回路23aに送信させる。パターンマッチング回路23aは動作が正常であるときは受信した特殊パターンを特殊パターン確認回路２８に返す。主制御部３０はこの授受が行われたか否かを判断し（S53）、この授受の実行が確認されたときは（S53,YES）、通常の特殊原稿形成防止処理の動作を行い（S55）、この授受が確認されないときは（S53,NO）、特殊原稿処理が無効の場合の動作、即ち実施形態４で述べた警告の通報等の動作を行う（S54）。
【産業上の利用可能性】
【００４８】
本発明に係る画像処理装置は、通常原稿の画像形成機能のみ又は通常原稿の画像形成機能と特殊原稿の画像形成機能を有する画像処理装置として任意に機能変えしてユーザーに提供するのに有用である。
【図面の簡単な説明】
【００４９】
【図１】本発明が適用されるデジタル複写機の外観斜視図である。
【図２】図１のデジタル複写機の正面側からみたスキャナの側面模式図である。
【図３】原稿と制御信号の関係を示す図である。
【図４】原稿の走査方向を示す図である。
【図５】主走査及び副走査方向画像範囲信号と画像データ信号の時間関係を示す図である。
【図６】図１のデジタル複写機の内部主要部ブロック構成図である。
【図７】図６の画像処理部における画像処理形態の説明図である。
【図８】読取側画像処理部の画像処理形態を示す図である。
【図９】特殊原稿の画像形成防止回路を有する読取側画像処理部の構成図である。
【図１０】パターンマッチング回路と出力変換回路とを有するパターンマッチングデバイスを読取側画像処理部と別体に構成する例を示す図である。
【図１１】パターンマッチング回路のみを有するパターンマッチングデバイスを読取側画像処理部と別体に構成する例を示す図である。
【図１２】パターンマッチングデバイスの回路上の配置位置を示す図である。
【図１３】パターンマッチングデバイスの動作設定の手順を示す図である。
【図１４】異なる特徴パターンを有するパターンマッチングデバイスを主制御部が選択する概念を示す図である。
【図１５】異なる特徴パターンを有するパターンマッチングデバイス毎に動作設定を行う手順を示す図である。
【図１６】DSPで構成したパターンマッチングデバイスの回路上の配置図である。
【図１７】DSPによるパターンマッチングデバイスの構成説明図である。
【図１８】パターンマッチングデバイスの動作履歴を保存する動作の手順を示す図である。
【図１９】パターンマッチングデバイスの無効を警告する動作の手順を示す図である。
【図２０】パターンマッチングデバイスの無効を警告し読取側画像処理を使用不可能にする動作の手順を示す図である。
【図２１】特殊パターン確認回路を備える読取側画像処理部の構成を示す図である。
【図２２】パターンマッチングデバイスの有効性を確認する動作の手順を示す図である。
【符号の説明】
【００５０】
１・・原稿台、２・・原稿押え、３・・操作表示部、４・・用紙カセット、５・・原稿、６・・スキャナ、７・・光源、８・・走査ミラー、９・・光学ユニット、１０・・光電変換素子（CCD）
【図１】
2005223642.tif 000003
【図２】
2005223642.tif 000004
【図３】
2005223642.tif 000005
【図４】
2005223642.tif 000006
【図５】
2005223642.tif 000007
【図６】
2005223642.tif 000008
【図７】
2005223642.tif 000009
【図８】
2005223642.tif 000010
【図９】
2005223642.tif 000011
【図１０】
2005223642.tif 000012
【図１１】
2005223642.tif 000013
【図１２】
2005223642.tif 000014
【図１３】
2005223642.tif 000015
【図１４】
2005223642.tif 000016
【図１５】
2005223642.tif 000017
【図１６】
2005223642.tif 000018
【図１７】
2005223642.tif 000019
【図１８】
2005223642.tif 000020
【図１９】
2005223642.tif 000021
【図２０】
2005223642.tif 000022
【図２１】
2005223642.tif 000023
【図２２】
2005223642.tif 000024